Podtech/llm-jp-corpus-v4-ja_patent huggingface dataset:
(57)【要約】【課題】必要に応じて色温度及び色を選択し、ソフトウェアプログラムによりランプの光を精確に制御することができる色及び色温度制御システムを提供する。【解決手段】色及び色温度制御システムは、電源２０、ＬＥＤ駆動装置３０、検出保護付属回路６０、ＬＥＤ電球モジュール４０、制御ＭＣＵ１０及びスイッチモジュール５０を備える。電源２０は、ＬＥＤ駆動装置３０の入力端と接続される。ＬＥＤ駆動装置３０の出力端は、ＬＥＤ電球モジュール４０と接続される。制御ＭＣＵ１０は、ＬＥＤ駆動装置３０と接続される。スイッチモジュール５０は、制御ＭＣＵ１０と接続される。検出保護付属回路６０の入力端は、ＬＥＤ電球モジュール４０と接続される。検出保護付属回路６０の出力端は、制御ＭＣＵ１０に接続される。【選択図】図１
0003233197.tif 000002
【実用新案登録請求の範囲】
【請求項１】
電源、ＬＥＤ駆動装置、検出保護付属回路、ＬＥＤ電球モジュール、制御ＭＣＵ及びスイッチモジュールを備えた、色及び色温度制御システムであって、
前記電源は、前記ＬＥＤ駆動装置の入力端と接続され、前記ＬＥＤ駆動装置の出力端は、前記ＬＥＤ電球モジュールと接続され、前記制御ＭＣＵは、前記ＬＥＤ駆動装置と接続され、前記スイッチモジュールは、前記制御ＭＣＵと接続され、
前記検出保護付属回路の入力端は、前記ＬＥＤ電球モジュールと接続され、
前記検出保護付属回路の出力端は、前記制御ＭＣＵに接続されることを特徴とする、色及び色温度制御システム。
【請求項２】
前記スイッチモジュールは、マイクロスイッチ、メンブレンスイッチ、タッチスイッチ、メタルドームスイッチ、ハードスイッチ及びこれらの組み合わせからなるもののうちの何れか１つであることを特徴とする請求項１に記載の色及び色温度制御システム。
【考案の詳細な説明】
【技術分野】
【０００１】
本考案は、色及び色温度制御システムに関するものである。
【背景技術】
【０００２】
従来から市販されている多くの色温度切換えランプの切換え機能は、スイッチのハードスイッチングにより顧客に必要な色温度を提供することができるが、このような切換え機能には、ランプを取付けた後、以下（１）及び（２）のような問題点があった。
（１）通電された状況で色温度のハードスイッチングが容易に損壊したり故障したりすることがある。
（２）断電した状況で色温度を切換える場合、ユーザはまず、電源をオフしてから切換えるが、切換える際にロッカースイッチによりユーザが必要な色温度を精確に切換えることができず、ランプの光が所望の色温度となるまで繰り返して複数回通電しなければならないことがあった。
【考案の概要】
【考案が解決しようとする課題】
【０００３】
本考案の目的は、各種色温度及び色を組み合わせることにより光混合を精確に行い、色がきれいで、柔軟性が高く、ランプを小型化し、使用者は実際の必要に応じて色温度及び色を選択し、ソフトウェアプログラムによりランプの光を精確に制御することができる色及び色温度制御システムを提供することにある。
【課題を解決するための手段】
【０００４】
上記課題を解決するために、本考案の第１の形態によれば、電源、ＬＥＤ駆動装置、検出保護付属回路、ＬＥＤ電球モジュール、制御ＭＣＵ及びスイッチモジュールを備えた、色及び色温度制御システムであって、前記電源は、前記ＬＥＤ駆動装置の入力端と接続され、前記ＬＥＤ駆動装置の出力端は、前記ＬＥＤ電球モジュールと接続され、前記制御ＭＣＵは、前記ＬＥＤ駆動装置と接続され、前記スイッチモジュールは、前記制御ＭＣＵと接続され、前記検出保護付属回路の入力端は、前記ＬＥＤ電球モジュールと接続され、前記検出保護付属回路の出力端は、前記制御ＭＣＵに接続されることを特徴とする、色及び色温度制御システムを提供する。
【０００５】
前記スイッチモジュールは、マイクロスイッチ、メンブレンスイッチ、タッチスイッチ、メタルドームスイッチ、ハードスイッチ及びこれらの組み合わせからなるもののうちの何れか１つであることが好ましい。
【考案の効果】
【０００６】
本考案の色及び色温度制御システムは、各種色温度及び色を組み合わせることにより光混合を精確に行い、色がきれいで、柔軟性が高く、ランプを小型化し、使用者は実際の必要に応じて色温度及び色を選択し、ソフトウェアプログラムによりランプの光を精確に制御することができる。
【図面の簡単な説明】
【０００７】
【図１】本考案の一実施形態に係る色及び色温度制御システムの接続状態を示すブロック図である。
【考案を実施するための形態】
【０００８】
図１を参照する。図１に示すように、本考案の一実施形態に係る色及び色温度制御システムは、電源２０、ＬＥＤ駆動装置３０、検出保護付属回路６０、ＬＥＤ電球モジュール４０、制御ＭＣＵ１０及びスイッチモジュール５０から構成されてなる。上述したスイッチモジュール５０は、マイクロスイッチ、メンブレンスイッチ、タッチスイッチ、メタルドームスイッチ、ハードスイッチ及びこれらの組み合わせからなるもののうちの何れか１つから選択してもよいが、勿論その他の種類のスイッチから選択してもよい。
【０００９】
上述した電源２０は、ＬＥＤ駆動装置３０の入力端と接続される。上述したＬＥＤ駆動装置３０の出力端は、ＬＥＤ電球モジュール４０と接続される。上述した制御ＭＣＵ１０は、ＬＥＤ駆動装置３０と接続される。上述したスイッチモジュール５０は、制御ＭＣＵ１０と接続され、スイッチから発信される制御信号を制御する。制御ＭＣＵ１０は、ソフトウェアプログラムによりＬＥＤ電球モジュール４０を制御し、様々な色温度及び色を得て、スイッチモジュール５０を組み合わせて所望の色温度及び色を選択することができる。
【００１０】
制御ＭＣＵ１０は、ＬＥＤ駆動装置３０から出力されるワンウェイ信号又はツーウェイ信号によりＬＥＤ電球モジュール４０を制御する。色温度及び色の切換え機能は、主にワンチップＭＣＵソフトウェアプログラムと、１つのキースイッチモジュール５０とを組み合わせて複数のループ切換え又は複数のキーシングルタッチにより、使用者が所望するランプ光の色温度及び各種色を得てもよい。
【００１１】
上述した検出保護付属回路６０の入力端は、ＬＥＤ電球モジュール４０に接続される。上述した検出保護付属回路６０の出力端は、制御ＭＣＵ１０に接続される。上述した検出保護付属回路６０は、ＬＥＤ電球モジュール４０の電圧、電流、温度などの各種情報を得る。検出保護付属回路６０が得た結果を制御ＭＣＵにフィードバックし、検出保護付属回路６０が得たＬＥＤ電球モジュール４０の電圧、電流、温度などの各種情報が異常な状態である場合、制御ＭＣＵ１０を制御して断電操作を行う。
【００１２】
上述したことから分かるように、本考案の色及び色温度制御システムは、各種色温度及び色を組み合わせることにより光混合を精確に行い、色がきれいで、柔軟性が高く、ランプを小型化し、使用者は実際の必要に応じて色温度及び色を選択し、ソフトウェアプログラムによりランプの光を精確に制御することができる。
【符号の説明】
【００１３】
１０  制御ＭＣＵ
２０  電源
３０  ＬＥＤ駆動装置
４０  ＬＥＤ電球モジュール
５０  スイッチモジュール
６０  検出保護付属回路
【図１】
0003233197.tif 000003
(57)【要約】      （修正有）【課題】構造設計が合理的で、簡単に且つしっかり取付けることができ、繊維の配向が精確で、品質が安定的で、コストが低く、成型の効率が高い、ダブルダブテールあご付きねじ複合繊維保温接続具を提供する。【解決手段】ダブルダブテール複合繊維板材部材１、プラスチックモールド射出成型スリーブ２を含み、ダブルダブテール複合繊維板材部材の外にはプラスチックモールド射出成型スリーブが外嵌され、前記ダブルダブテール複合繊維板材部材の両端には対称なダブテール構造が設けられており、前記プラスチックモールド射出成型スリーブは位置制限板とあご構造を含み、位置制限板の一方側には複数のあご構造が設けられている。【選択図】図１
0003233184.tif 000002
【実用新案登録請求の範囲】
【請求項１】
ダブルダブテールあご付きねじ複合繊維保温接続具であって、ダブルダブテール複合繊維板材部材（１）、プラスチックモールド射出成型スリーブ（２）を含み、ダブルダブテール複合繊維板材部材（１）の外にはプラスチックモールド射出成型スリーブ（２）が外嵌され、前記ダブルダブテール複合繊維板材部材（１）の両端には対称なダブテール構造（１−１）が設けられており、前記プラスチックモールド射出成型スリーブ（２）は位置制限板（２−１）とあご構造（２−２）を含み、位置制限板（２−１）の一方側には複数のあご構造（２−２）が設けられている
ことを特徴とするダブルダブテールあご付きねじ複合繊維保温接続具。
【請求項２】
前記あご構造（２−２）は３つの大きいあご（３）と複数の小さいあご（４）とを含み、大きいあご（３）の間にはいずれも複数の小さいあご（４）がある
ことを特徴とする請求項１に記載のダブルダブテールあご付きねじ複合繊維保温接続具。
【考案の詳細な説明】
【技術分野】
【０００１】
本考案は、ねじ複合繊維保温接続具に関し、具体的には、ダブルダブテールあご付きねじ複合繊維保温接続具に関する。
【背景技術】
【０００２】
伝統的なねじ複合繊維保温接続具の接続効果がよくなく、外観の美観に欠けるだけではなく、プリハブ組立式コンクリート構造の保温壁から滑り出しやすく、使用効果が悪く、しっかり取付けることができず、安定性が悪い。以上をまとめると、本考案によれば、ダブルダブテールあご付きねじ複合繊維保温接続具に関する。
【考案の概要】
【考案が解決しようとする課題】
【０００３】
先行技術の上記存在する欠点について、本考案は、構造設計が合理的で、簡単に且つしっかり取付けることができ、繊維の配向が精確で、品質が安定的で、コストが低く、成型の効率が高いダブルダブテールあご付きねじ複合繊維保温接続具を提供することにある。
【課題を解決するための手段】
【０００４】
上記目的を実現するために、本考案は以下の技術案により実現している：ダブルダブテールあご付きねじ複合繊維保温接続具は、ダブルダブテール複合繊維板材部材、プラスチックモールド射出成型スリーブを含み、ダブルダブテール複合繊維板材部材の外にはプラスチックモールド射出成型スリーブが外嵌され、前記ダブルダブテール複合繊維板材部材の両端には対称なダブテール構造が設けられており、前記プラスチックモールド射出成型スリーブは位置制限板とあご構造を含み、位置制限板の一方側には複数のあご構造が設けられている。
【０００５】
好ましくは、前記あご構造は３つの大きいあご（ｂａｒｂ）と複数の小さいあごとを含み、大きいあごの間にはいずれも複数の小さいあごがある。
【考案の効果】
【０００６】
本考案の構造設計が合理的で、簡単に且つしっかり取付けることができ、繊維の配向が精確で、品質が安定的で、コストが低く、成型の効率が高いことが挙げられる。
【図面の簡単な説明】
【０００７】
以下では、図面と具体的な実施態様を組み合わせて本考案について詳しく説明する。
【図１】本考案の構造模式図である。
【図２】本考案の分解構造模式図である。
【考案を実施するための形態】
【０００８】
以下では、本考案が実現する技術的手段、創造的な特徴、達成する目的及び効果をより分かりやすくするために、以下では、具体的な実施態様を組み合わせて、本考案についてさらに説明する。
【０００９】
ダブルダブテールあご付きねじ複合繊維保温接続具は、ダブルダブテール複合繊維板材部材１、プラスチックモールド射出成型スリーブ２を含み、ダブルダブテール複合繊維板材部材１の外にはプラスチックモールド射出成型スリーブ２が外嵌され、前記ダブルダブテール複合繊維板材部材１の両端には対称なダブテール構造１−１が設けられており、前記プラスチックモールド射出成型スリーブ２は位置制限板２−１とあご構造２−２を含み、位置制限板２−１の一方側には複数のあご構造２−２が設けられている。
【００１０】
注意すべきことは、前記あご構造２−２は３つの大きいあご３と複数の小さいあご４とを含み、大きいあご３の間にはいずれも複数の小さいあご４がある。
【００１１】
本考案のプラスチックモールド射出成型スリーブ２は、射出成型によりダブルダブテール複合繊維板材部材１に外嵌され、且つダブルダブテール複合繊維板材部材１の中央位置にある。あご構造２−２は案内するとともに、接続具が壁本体の保温層から抜けるのを防止することで、しっかり取付けるようにするための構造である。
【００１２】
本具体的な実施態様は、構造設計が合理的で、簡単に且つしっかり取付けることができ、繊維の配向が精確で、品質が安定的で、コストが低く、成型の効率が高い。
【００１３】
以上では、本考案の基本原理、主な特徴及び本考案の長所を開示及び説明した。当業者であれば、本考案は上記実施例に制限されず、上記実施例及び明細書で説明したのは本考案を説明する原理であって、本考案の精神及び範囲から逸脱することを前提に、本考案はさらに様々変形及び改良を有し、これらの変化と改良は全て保護を求めようとする本考案の範囲内に含まれることは、理解できるであろう。本考案の保護を求めようとする範囲は、添付した実用新案登録請求の範囲及びその等価物によって限定される。
【図１】
0003233184.tif 000003
【図２】
0003233184.tif 000004
(57)【要約】      （修正有）【課題】本を開いた状態で放置でき容易にページをめくれる読書用ページ保持器具を提供する。【解決手段】読書用ページ保持器具は、開いた本の天側に天側板１を地側に地側板２を配し、天側板１のほぼ中央と地側板２のほぼ中央をゴム紐５で繋ぎ、ゴム紐５は開いた本の中央の溝部に配置し、天側板１及び地側板２の上部左右にはページ押さえ突起７をつけページが自然にめくれないようにしている。天側板１及び地側板２の下部には本の背を置くための天側背板３及び地側背板４をつけ、天側板１と天側背板３及び地側板２と地側背板４は折れ曲がるようにし、ページをめくるときはゴム紐５で引っ張られている天側板１、地側板２を指で開き、ページ押さえ突起７で保持されていたページが解放され、ページをめくり、開いている天側板１、地側板２の指を離すと新たなページが保持できる。【選択図】図１
0003233122.tif 000002
【実用新案登録請求の範囲】
【請求項１】
開いた本の天側に天側板を地側に地側板を配するようにし、天側板ほぼ中央と地側板ほぼ中央をゴム紐で繋ぎ、ゴム紐は開いた本の中央の溝部に配置する、
天側板及び地側板の上部左右にはページ押さえ突起をつけページが自然にめくれないようにし、天側板及び地側板の下部には本の背を置くための天側背板及び地側背板をつけ、天側板と天側背板及び地側板と地側背板は折れ曲がるようにする、ことを特徴とする読書用ページ保持器具。
【考案の詳細な説明】
【技術分野】
【０００１】
本考案は読書時に本を開いた状態を保持する際の器具に関するものである。
【背景技術】
【０００２】
従来、本を開いた状態を保持する等の器具には読書台があるが構造が複雑で形状が大きいこと等の不便があった。
【考案の概要】
【考案が解決しようとする課題】
【０００３】
従来の読書台に比べ形状が小さく、ページめくりが簡単にできる器具が望まれる。
【課題を解決するための手段】
【０００４】
この課題を解決するために、開いた本の天側に天側板を地側に地側板を配するようにする。天側板ほぼ中央と地側板ほぼ中央をゴム紐で繋ぐ、ゴム紐は開いた本の中央の溝部に配置する。天側板及び地側板の上部左右にはページ押さえ突起をつけページが自然にめくれないようにする。天側板及び地側板の下部には本の背を置くための天側背板及び地側背板をつける。天側板と天側背板及び地側板と地側背板の接合部は折れ曲がるようにする。
【０００５】
ページをめくるときはゴム紐で引っ張られている天側板、地側板を指で開き、ページ押さえ突起で保持されていたページが解放される。次にページをめくり、傾いて開いている天側板、地側板の指を離すと天側板、地側板がもとにもどり新たなページが保持される。
【考案の効果】
【０００６】
本器具は簡単な操作でページのめくりができまた、形状が小さく、構造が簡単である等の効果がある。
【図面の簡単な説明】
【０００７】
【図１】本考案の読書用ページ保持器具の実施例を示す斜視図である。
【図２】本考案器具に本を置いた状態の斜め視認図を示す。
【考案を実施するための形態】
【０００８】
添付の図１、２において説明する。
開いた本の天側に天側板１を地側に地側板２を配するようにする。天側板１ほぼ中央と地側板２ほぼ中央をゴム紐５で繋ぐ。ゴム紐は図２に示すように開いた本の中央の溝部に配置する。天側板１及び地側板２の上部左右にのページ押さえ突起７は図２に示すようにページが自然にめくれないようにするものである。天側板１及び地側板２の下部には本の背を置くための天側背板３及び地側背板４をつける。
【０００９】
ページをめくるときはゴム紐５で引っ張られている天側板１及び地側板２を指で傾けて開く。めくり終って指をはなすと天側板１及び地側板２は元にもどる。天側板１及び地側板２は傾けて開きやすいように天側背板及び地側背板との接続部で折れ曲がるようにする。
本はページ押さえ突起７と天側背板３及び地側背板４の間にあり上下にずれて天側板１及び地側板２から外れることはない。
本器具はゴム紐５の長さを調整して大小の本に適用する。調整したゴム紐５の長さはゴム紐はさみ具６で決めるようにしている。ゴム紐５は最初に本の適当に開いたページに配し、ページをめくっても最初に配したままでよい。
【符号の説明】
【００１０】
１  天側板
２  地側板
３  天側背板
４  地側背板
５  ゴム紐
６  ゴム紐はさみ具
７  ページ押さえ突起
【図１】
0003233122.tif 000003
【図２】
0003233122.tif 000004
(57)【要約】      （修正有）【課題】高齢者が指先の油分減少により滑りによって、薬ケースから錠剤を取り出しにくい状態を解決する薬ケースを提供する。【解決手段】薬ケースから高齢者が容易に錠剤を取り出せるように、ケース内に斜板１を設け、錠剤をスライドアップさせる。そして、病院または薬局から支給された薬を予め、連結した薬ケースの錠剤ストック部に、ＰＴＰ包装から錠剤を取り外し薬を裸状態にして保管しておき、直ぐに飲用できる状態にしておく、都度、１錠ずつ当ケースから取り出し、飲み忘れなく飲用できる。【選択図】図４
0003233126.tif 000002
【実用新案登録請求の範囲】
【請求項１】
高齢者は薬を飲用する機会も多くなり、また、身体自体の動きも若年者に比べ、体質の衰えもあり、特に、指先が油分の乾きからすべりやすくなる。これが対策がため、ケース構造内に斜板を追加して、薬即ち錠剤を底面から、取り出し口まで斜板を使用してスライドアップさせる薬ケースであって、実際に商品化するには、ケース単体１個のみではなく、何個か連結する。例えば、１日３回飲用する場合は３個連結、また、１週間の曜日ごとに飲用する場合は、７個連結したものが、考えられる。
【考案の詳細な説明】
【技術分野】
【０００１】  本考案は、高齢者の指先が油分減少により滑りやすくなっている事により、薬ケースから錠剤を紛失することなく、また、難なく取り出すためのものである。
【背景技術】
【０００２】  通常の薬ケース（市販品等）は、ケース毎の錠剤ストック部は底面がフラットで、その位置から直接に錠剤を掴みあげて取り出す。
【先行技術文献】
【特許文献】
【０００３】
【特許文献１】実登３１４５３１８
【考案の概要】
【考案が解決しようとする課題】
【０００４】  高齢者が指の滑りで錠剤をスムーズに薬ケースから、取り出させるように錠剤を底面即ちストック面から取り出し口までを斜め板状にして、その板に軽く押さえながら沿い上げる（スライドアップ）させることで解決する。
【考案の効果】
【０００５】  上述のごとく、本考案の薬ケースに斜板を追加することで、錠剤が難なく取り出せるばかりではなく、錠剤が指のすべりによって、ケース外に弾かれてしまう事によって、紛失を防ぐことが可能となり精神的に薬を飲用する負担を軽減でき、飲み忘れを防ぐことができる。
【図面の簡単な説明】
【０００６】
【図１】本考案に係る薬ケースの外観図（実際の商品化は連結されると思われるが、参考外観図は、連結状態を省き薬ケース単体のみで表現。
【図２】図１の部分断面図（拡大図）  錠剤をスライドアップ（斜板に沿い上げる）する際、斜板の端から飛び出さないように、錠剤をガイドし、取り出し口へ、その為、斜板周辺に段差を設ける。
【図３】薬ケースの平面図
【図４】図３のＡ−Ａ断面図のもとに、本考案の斜板上を、錠剤を指で軽く押さえつつ、取り出し口へと沿い上げる状態を示す。
【符号の説明】
【０００７】１  斜板（本考案の重要項目）
２  錠剤取り出し口
３  薬ケース（単体  連結なし時の）箱体
４  錠剤のストック部
５  錠剤（薬本体）
【図１】
0003233126.tif 000003
【図２】
0003233126.tif 000004
【図３】
0003233126.tif 000005
【図４】
0003233126.tif 000006
【手続補正書】
【提出日】令和3年3月18日(2021.3.18)
【手続補正１】
【補正対象書類名】実用新案登録請求の範囲
【補正対象項目名】全文
【補正方法】変更
【補正の内容】
【実用新案登録請求の範囲】
【請求項１】
高齢者の薬即ち錠剤を飲用時、指先が油分の減少により滑り易くなる。薬ケースから容易に取り出すため、ケース内に斜板を追加して、薬即ち錠剤を底面から取り出し口まで、追加の斜板を使用して取り出す薬ケース。
(57)【要約】      （修正有）【課題】配布されるビニールの傘袋がズレることを防止する、と共に、ビニールが店舗等にゴミとして散乱することや、傘から滴る雨つゆにより人が転倒することなどを防止するビニールの配布用傘袋を提供する。【解決手段】ビニールの袋１に、傘の露先３をかけるホール４をつける。【選択図】図１
0003233125.tif 000002
【実用新案登録請求の範囲】
【請求項１】
ズレを防止する為にビニールにホール、切れ込み等を追加することを特徴とするビニールの配布用傘袋。
【請求項２】
ズレを防止する為にビニールに付属品等を追加することを特徴とするビニールの配布用傘袋。
【考案の詳細な説明】
【技術分野】
【０００１】  本案は配布されるビニールの傘袋がズレることを防止する為に、ホール、切れ込み又は付属品をビニールの袋に取付けたものである。
【背景技術】
【０００２】  従来のビニールの傘袋は筒状のビニールに傘を収納するだけなので、長時間持ち歩くとビニールがズレたり、外れたりしてしまうものであった。
【考案の概要】
【考案が解決しようとする課題】
【０００３】  これまでのビニールの傘袋がズレてしまう問題点を、傘袋自体にホール、切れ込み又は付属品等をつけることにより解決するものである。
【課題を解決するための手段】
【０００４】  本考案はビニールの袋に、傘の露先をかける加工を施すことで解決している。
【考案の効果】
【０００５】  本考案は傘の露先をかけるホール、切れ込み、付屬品（輪の形状等）等をつけることにより、ビニールの傘袋がズレる問題点を解決するだけでなく、ビニールが店舗等にゴミとして散乱することや、傘から滴る雨つゆにより人が転倒することなどを防止するという効果もある。
【図面の簡単な説明】
【０００６】
【図１】ビニールの傘袋にホール、切れ込み等を追加した場合の全体像を示す図である。
【図２】図１の拡大図である。
【図３】ビニールの傘袋に傘の露先をかける付属品等を追加した場合の全体像を示す図である。
【図４】図３の拡大図である。
【考案を実施するための形態】
【０００７】  ビニールの傘袋の上はし（傘の柄に近い方）にホール、切れ込み又は付属品等をつけ、そこへ傘の露先の一部を通すことで傘袋が傘に固定され、ズレることを防止する。
【実施例】
【０００８】  図１や図２が示すように、ビニールの傘袋に傘の露先をかける為のホール、切れ込み等を用意することで、傘袋が固定されズレることを防ぐ。【０００９】  図３や図４が示すように、ビニールの傘袋に傘の露先をかける為の付属品等を用意することで、傘袋が固定されズレることを防ぐ。
【符号の説明】
【００１０】  １：ビニールの傘袋
２：傘
３：傘の露先
４：ビニールの傘袋に追加したホール等
５：ビニールの傘袋
６：傘
７：傘の露先
８：ビニールの傘袋に追加したホール等
９：ビニールの傘袋
１０：傘
１１：傘の露先
１２：ビニールの傘袋に追加した付属品等
１３：ビニールの傘袋
１４：傘
１５：傘の露先
１６：ビニールの傘袋に追加した付属品等
【図１】
0003233125.tif 000003
【図２】
0003233125.tif 000004
【図３】
0003233125.tif 000005
【図４】
0003233125.tif 000006
(57)【要約】      （修正有）【課題】着磁性のある金属製のアクセサリー装飾具とマグネットを用いてマスクに装着できるマスクアクセサリーを提供する。【解決手段】着磁に優れた金属材料を用いて加工されたデザイン部１と、永久磁石２で構成し、デザイン部１と永久磁石２との間に、不織布、紙、布等３を挟持して装着することが出来る様にした。【選択図】図１
0003233784.tif 000002
【実用新案登録請求の範囲】
【請求項１】
着磁に優れた金属材料を用いて加工されたデザイン部と、永久磁石で構成されており、デザイン部と永久磁石との間に、不織布、紙、布等を挟持して装着することが出来ることを特徴とするアクセサリー。
【請求項２】
前記、デザイン部がエッチング加工されていることを特徴とする請求項１に記載するアクセサリー。
【請求項３】
前記、デザイン部にメッキ加工、塗装等、表面処理されていることを特徴とする請求項１または請求項２に記載するアクセサリー。
【考案の詳細な説明】
【技術分野】
【０００１】本考案は着磁性のある金属製のアクセサリー装飾具とマグネットを用いてマスクに装着できるマスクアクセサリーに関するものである。
【背景技術】
【０００２】アクセサリーを固定させる方法として針やピンを用いて直接、衣服等の生地に穴をあける方法や、磁石を２個使用して生地を挟み込み、固定する方法が提案されている。例えば、実登３１６６５７２号によると磁石を２個使用し、アクセサリーを簡単に外せることを特徴とした提案がされている。
【先行技術文献】
【特許文献】
【０００３】
【特許文献１】実登３１５５５７２号
【考案の概要】
【考案が解決しようとする課題】
【０００４】しかしながら、アクセサリーを固定する方法が、ピンや針を使用する場合は、マスクの様に素肌にフィットする必要がある物においては、安全上問題がある。また、マスク生地等に穴が開いてしまうことにより、アクセサリーの場所を変えることに対して承知する必要がある。さらに、磁石を２個使用することで厚みや重みが増し、マスクの装着時に耳に負担がかかることが想定された。
【課題を解決するための手段】
【０００５】そこで、本考案では、着磁に優れた金属材料を用いて加工されたデザイン部と、永久磁石で構成されており、デザイン部と永久磁石との間に、不織布、紙、布等を挟持して装着することが出来ることを特徴とするものである。【０００６】また、その考案のデサイン部は、エッチング加工により形成されており、デザイン性の他、アクセサリーとして重量が軽減されていることも特徴である。【０００７】さらには、デザイン部にメッキ加工や塗装などの表面処理されていることでエッチング加工による鋭利な部分をなくす処理を実施されていることも特徴とする
【考案の効果】
【０００６】以上により、本考案によって、マスク等に使用できるアクセサリー固定方法を使用することで、デザイン性と安全性を両立し、かつ軽量でマスク装着時の負荷を軽減できる。
【図面の簡単な説明】
【０００７】
【図１】マグネット留めマスクアクセサリーを構成する部品を説明する図
【図２】マグネット留めマスクアクセサリーの使用イメージ図
【図３】マグネット留めマスクアクセサリー正面図
【図４】マグネット留めマスクアクセサリーの側面図
【図５】マグネット留めマスクアクセサリー裏面図（装飾部品＋マグネット）
【考案を実施するための形態】
【０００８】以下、この考案に係るアクセサリーの本実施形態について、各図を参照しながら詳細に説明する。但し、本考案の実施形態は、何ら限定されるものではない。
【０００９】図１に示すアクセサリーは、デザイン部１と永久磁石２とで構成されており生地３を挟持することで固定する。デザイン部１はエッチング加工で形成されており、永久磁石２は大きさがΦ８ｍｍ程度で厚みが２ｍｍ程度のものを使用し、ネオジウム磁石やメッキされたサマリウムコバルト磁石などを使用する。
【００１０】図２は、アクセサリーの使用するイメージを示す。
【００１１】図３はアクセサーの正面図を示す。ハッチング部分４に、塗装することで色彩を持たせることも可能としている
【００１２】図４はアクセサリーの側面図を示す。デザイン部１と永久磁石２の組合せた時のイメージを示す。前術したように、アクセサリーはデザイン部１と永久磁石２を分離することができ、デザイン部１と永久磁石２の間に生地３を挟持することが出来る様になっている
【００１３】図５はデザイン部１のその他の形態であり、背面図を示す。
前述同様、デザイン部１と永久磁石２とで形成されている。
【００１４】以上、本考案を実施形態について説明したが、本考案はこの内容に限定されるものではない。本考案は、その趣旨を逸脱しない範囲において、適宣変形を加えて実施され得る。
【産業上の利用の可能性】
【００１５】本考案は各種アクセサリーの固定方法として利用可能である
【符号の説明】
【００１６】１      デザイン部
２      永久磁石
３      生地（不織布、紙、布）
４      ハッチング部（装飾部、塗装部）
【図１】
0003233784.tif 000003
【図２】
0003233784.tif 000004
【図３】
0003233784.tif 000005
【図４】
0003233784.tif 000006
【図５】
0003233784.tif 000007
(57)【要約】      （修正有）【課題】トランジスタのベースとエミッタ間を安定化させた装置を提供する。【解決手段】自動照灯装置において、トランジスタ１４のベースに繋がる導線上の点１と、トランジスタ１４のエミッタとの間に、抵抗を繋がない。【選択図】図１
0003233783.tif 000002
【実用新案登録請求の範囲】
【請求項１】
光の入射で、抵抗値が小さくなる素子（２）から出てる、素子（２）を挟み出ている、素子（２）と繋がった、二本の導線の一本は、抵抗（３）の抵抗素子（３）を挟み出ている、抵抗素子（３）と繋がった、二本の導線の一本と、可変抵抗（５）から出てる、可変抵抗素子（５）と繋がった、可変抵抗現象が発現する構造の二本の導線の一本と、導線の接続点（６）で、繋がり、素子（２）から出てる、導線の一本は、抵抗（３）から出てる、導線の接続点（６）とは、繋がってない抵抗（３）から出てる、導線の一本と、抵抗（４）の抵抗素子（４）を挟み出てる、抵抗素子（４）と繋がった、二本の導線の一本と、繋がり、抵抗（４）から出てる導線の一本は、正極（１２）と繋がっており、可変抵抗（５）の接続点（６）とは、繋がってない導線は、負極（１３）と繋がっており、導線の接続点（６）は、抵抗（７）の抵抗素子（７）を挟み出ている、抵抗素子（７）と繋がった、二本の導線の一本と、繋がっていて、抵抗（７）から出てる、導線の一本は、トランジスタ（１４）のベースと繋がり、トランジスター（１４）のエミッタは、負極（１３）と繋がり、トランジスター（１４）のコレクターは、抵抗（９）の抵抗素子（９）を挟み出ている、抵抗素子（９）と繋がった、二本の導線の一本と、発光素子（１１）から出てる、発光素子（１１）を挟み出ている、発光素子（１１）と繋がった、二本の導線の一本と、繋がっており、発光素子（１１）から出てる、導線の一本は、抵抗（１０）の抵抗素子（１０）を挟み出ている、抵抗素子（１０）と繋がった、二本の導線の一本と、繋がり、抵抗（１０）から出てる、導線の一本は、負極（１３）と繋がっていて、抵抗（９）から出てる、導線の一本は、正極（１２）と繋がっている、装置。
【考案の詳細な説明】
【技術分野】
【０００１】  本考案は、センサ素子の応用技術に属する。
【背景技術】
【０００２】  センサ素子とトランジスタ素子の性質の応用技術が背景にある。
【先行技術文献】
【特許文献】
【０００３】
【実用新案文献１】
登録第３２１７６２９号
【考案の概要】
【考案が解決しようとする課題】
【０００４】  実用新案「登録第３２１７６２９号」のトランジスタ（１４）のベースとエミッタ間の電流の問題。【０００５】  トランジスタ（１４）のベースとエミッタに、高い電圧が掛かると、トランジスタ（１４）の破損につながる。
【課題を解決するための手段】
【０００６】  トランジスタ（１４）のベースとエミッタ間は、低電圧では、電流が流れない。【０００７】  しかしながら、抵抗（７）と、トランジスタ（１４）のベースとの間の任意の導線上の点（１）に、抵抗（８）（図２）の抵抗素子（８）（図２）を挟み出てる、その抵抗素子（８）（図２）と繋がった二本の導線の一本を繋げ、その抵抗（８）（図２）のもう一本の導線を、トランジスタ（１４）のエミッタと繋ぐと、その抵抗（８）（図２）に高い電圧が掛かる場合、トランジスタ（１４）のベースとエミッタ間にも、高い電圧が掛かる。
【考案の効果】
【０００８】  トランジスタ（１４）のベースとエミッタ間は、低電圧では、電流が流れないが、導線上の点（１）と、トランジスタ（１４）のエミッタとの間に、抵抗（８）（図２）を繋ぐと、トランジスタ（１４）のベースとエミッタの間には、電流が流れないが、その抵抗（８）（図２）には電流が流れる。【０００９】  導線上の点（１）とトランジスタ（１４）のエミッタとの間に、抵抗（８）（図２）を、繋がないと、抵抗（７）には、トランジスタ（１４）のベースとエミッタ間の効果により、電流が流れなくなった。
【図面の簡単な説明】
【００１０】
【図１】  本考案の回路。
【００１１】
【図２】  本考案に、導線上の点（１）と、トランジスタ（１４）のエミッタとの間に、抵抗（８）を入れた様子。
【００１２】
【図３】  本考案の使用例。
【考案を実施するための形態】
【００１３】  夜間時の自動照灯装置となる。
【実施例】
【００１４】  図３。
【産業上の利用の可能性】
【００１５】  夜間時の自動照灯装置となる。
【００１６】  発光素子（１１）により、発光状態が変わる。
【符号の説明】
【００１７】１．  抵抗（７）と、トランジスタ（１４）のベースとの間の任意の導線上の点。
２．  光が入射すると、抵抗値が小さくなる素子。
３．  抵抗素子。
４．  抵抗素子。
５．  可変抵抗素子、又は可変抵抗装置。
６．  電流の導線上のある位置。
７．  抵抗素子。
８．  抵抗素子。
９．  抵抗素子。
１０．抵抗素子。
１１．発光素子。
１２．正極。
１３．負極。
１４．トランジスタ。
１５．本考案を入れたケース。
１６．燈籠。
１７．地面。
【図１】
0003233783.tif 000003
【図２】
0003233783.tif 000004
【図３】
0003233783.tif 000005
(57)【要約】      （修正有）【課題】コイルを形成し中にマグネットを配置し、コイルの電流を断続させる事によりマグネットの機械的振動エネルギーを外部に取りだす振動発生器を提供する。【解決手段】コイル２の中に第１マグネット３を置きコイルに電流を流しマグネットを動かし、これに接続する第２マグネット５でホール素子センサー６に感応させその信号でスイッチング素子を駆動し、コイルの電流を断続して振動を発生させる。【選択図】図１
0003233718.tif 000002
【実用新案登録請求の範囲】
【請求項１】
コイルと、前記コイルの貫通孔に嵌装され往復動する軸と、前記軸に装着され前記ソレノイドコイル内に配置される第１マグネットと、前記軸の端部に装着された第２マグネットと、前記第２マグネットの移動方向の前方位置に配置されたホール素子センサーと、前記ホール素子センサーの出力により前記コイルへ供給する直流電流をオンオフするスイッチング手段とを備えたことを特徴とする振動発生装置。
【請求項２】
前記第１マグネットの移動方向において、第１マグネットを付勢するばねを備えたことを特徴とする請求項１記載の振動発生器。
【請求項３】
前記第２マグネットは、前記軸の一方の端部及び他方の端部にそれぞれ配置され、前記それぞれの端部に配置された第２マグネットに対向する前方位置に、前記ホール素子が配置されていることを特徴とする請求項１記載の振動発生器。
【考案の詳細な説明】
【技術分野】
【０００１】  本考案は、振動ナイフなどに利用される振動発生器に関するものである。
【背景技術】
【０００２】  図３は従来の発振器を有する振動発生器である、発振器１７から出力される交流電流がコイル２に流され、発生される磁力によりマグネット３が振動し棒４から振動エネルギーを取り出すものである。
棒４へ質量のある物体を繋げて固有振動数が変化した場合発振器の周波数を調整し共振状態を維持しながら最大振幅で使用するものである。
【先行技術文献】
【特許文献】
【０００３】
【特許文献１】
【考案の概要】
【考案が解決しようとする課題】
【０００４】  問題点として図３において、棒４に繋がる質量によりその都度固有振動数が変化するので発振器１７の周波数を変えなければ最大の振幅が得られなくなる，そのためその都度発振器の微調整が必要となる。
【課題を解決するための手段】
【０００５】  本考案は磁性体とコイルに流す電流により発生する磁界との磁力の相互作用で振動させる振動発生装置において、コイルに流す電流を、振動体と振動体に取り付けたホール素子とスイッチング素子によって断続し、振動を継続させようとするものである。
【考案の効果】
【０００６】  振動を継続させる為、電流断続に従来から機械的接点を用いてきた、本考案ではこれにホール素子とトランジスタ等のスイッチング素子を用いて、機械的接点の様な接点不良による正常な電流断続が不能となり振動が継続出来なくなる事を回避し長時間の振動を可能としたものである。
【図面の簡単な説明】
【０００７】
【図１】本考案の第一の実施例を示す図である。
【図２】本考案の第一実施例の側面図である。
【図３】従来の振動発生装置を示す図である。
【考案を実施するための形態】
【０００８】  図１、図２においてフレーム９上に２つのボビン保持板８を所定の間隔を空けて配置している。ボビン１はボビン保持板８の間に挟むように配置されている。ボビン保持板８の中央に穴が形成されており、この穴に軸４を貫通させる。軸４の中間あたりに第１マグネット３を保持させるための空間を設け、マグネット３を格納しておく。
軸４の片方の先端には第２マグネット５を取り付け、これに対峙するようにホール素子センサー６を第２マグネット５により磁気的反応が起こるように配置する。ボビン１には磁力発生の為のコイル２を巻いておく。第１マグネット３の両端にバネ７を入れ第１マグネット３がコイルの中ほどに位置するように配置する。
軸４の反対側先端には刃物保持器１０を取り付けるとともにナイフ１１を取り付けておく。
【実施例】
【０００９】  図１及び図２は本考案の一実施例であり図２は図１の機械部分の側面図である。
図１において本体の土台部分であるフレーム９上にボビン保持板８を取付け、保持板８には軸４が貫通する穴を設けられている。ボビン１にはコイル２を巻き、軸４の中央に第１マグネット３を同軸上に配置されている。さらに、軸４をボビン保持板８の穴を貫通させバネ７で第１マグネット３を挟み、第１マグネット３がコイル２の中央に来るように調整しておく。軸４の片方の端部には第２マグネット５を取付けられており、これに対峙するようにホール素子センサー６が配置されている。第２マグネット５とホール素子センサー６の間隔が磁力によりホール素子センサー６が反応する距離になるようにホール素子センサー６を取り付けておく。
また、軸４の反対側の端にナイフ保持器１０を取付け保持器にはナイフ１１を取り付ける。
以上の様に構成した振動ナイフに対しスイッチング回路１２を設け出力ライン導線１５を介してコイル２に接続しておき、直流電源１３を、電源ライン１６を介してスイッチング回路１２に繋げる。この時、スイッチング回路１２はホール素子センサー６の信号でＯＮとなるように構成しておいてコイル２に通電させる。
コイルの通電により第１マグネット３が力を受け、その方向が、第２マグネット５がホール素子センサー６に近づくようにコイル２への電流方向を決めておく。ある距離まで第２マグネット５がホール素子センサー６に近づく事によりホール素子センサー６の信号がホールセンサー導線１４を介してスイッチング回路１２に作用しスイッチをＯＦＦとする、これによりコイル電流が遮断され第１マグネット３の受けている力が消滅し軸４と共に第１マグネット３もホール素子センサー６から遠ざかると、再びスイッチング回路１２内のスイッチング素子がＯＮとなりコイル２に電流が流れ、これでＯＮとＯＦＦを繰り返し、振動を起こすことになる。
又、ボビンへのコイルをもう一つ配置しさらに軸４のもう片方へ第３のマグネットとこれに対峙するもう一つのホール素子センサーともう一つのスイッチング回路との組み合わせにより二つのコイルに交互に電流を切り替えて各コイルの励磁による磁力と第一マグネットの磁力の相互作用で大きなストロークを得ることが可能となり効率よい切断などが可能となる、又ホール素子センサーの位置を変えることにより振動体のストロークを変化させることが可能である。
【産業上の利用可能性】
【００１０】  シート状の紙又は樹脂の発泡成形物等を連続切断する為の産業用自動機械の切断部に本考案の振動ナイフを使用することにより、構造が簡単で安価な切断部分を構成することが可能である。
【符号の説明】
【００１１】１  ボビン
２  コイル
３  第１マグネット１
４  軸
５  第２マグネット
６  ホール素子センサー
７  バネ
８  ボビン保持板
９  フレーム
１０  ナイフ保持器
１１  ナイフ
１２  スイッチング回路
１３  直流電源
１４  ホール素子センサー導線
１５  出力ライン導線
１６  電源ライン導線
１７  発振器
【図１】
0003233718.tif 000003
【図２】
0003233718.tif 000004
【図３】
0003233718.tif 000005
(57)【要約】      （修正有）【課題】コク、風味に優れた赤だし味噌塩飴を提供する。【課題手段】砂糖、水飴及び赤だし味噌を配合した塩飴２を、砂糖及び水飴を配合し且つ赤だし味噌を配合していない飴３で包んだ赤だし味噌塩飴であって、砂糖、水飴及び赤だし味噌の配合比が容積比で１００：１５：１５である。【選択図】図２
0003233713.tif 000002
【実用新案登録請求の範囲】
【請求項１】
砂糖、水飴及び赤だし味噌を配合したことを特徴とする赤だし味噌塩飴。
【請求項２】
上記砂糖、水飴及び赤だし味噌の配合比が容積比で１００：１５：１５であることを特徴とする請求項１に記載の赤だし味噌塩飴。
【請求項３】
請求項１又は請求項２に記載の赤だし味噌塩飴を、砂糖及び水飴を配合し且つ赤だし味噌を配合していない飴で包んだことを特徴とする赤だし味噌塩飴。
【考案の詳細な説明】
【技術分野】
【０００１】  本考案は、赤だし味噌入りの塩飴に関するものです。
【背景技術】
【０００２】  従来技術として、例えば特許文献１のような飴の中に生味噌を封入した味噌飴が提案されています。
【先行技術文献】
【特許文献】
【０００３】
【特許文献１】実用新案登録第３０２３９３６号公報
【考案の概要】
【考案が解決しようとする課題】
【０００４】  上記特許文献１には、生味噌として信州白味噌、赤豆味噌、木の芽味噌、ごま味噌、ゆず味噌、唐がらし味噌を用いることが記載されています。しかし、これらの味噌はややコク、風味に欠け物足りなさを感じてしまいます。
本考案は、このような状況に鑑み、コク、風味に優れた赤だし味噌塩飴を提供するためになされたものです。
【課題を解決するための手段】
【０００５】  本考案は、砂糖、水飴及び赤だし味噌を配合したことを特徴とする赤だし味噌塩飴です。【０００６】  なお、上記砂糖、水飴及び赤だし味噌の配合比は、容積比で１００：１５：１５であることが好ましいです。【０００７】  また、上記の赤だし味噌塩飴を、砂糖及び水飴を配合し且つ赤だし味噌を配合していない飴で包んでも良いです。
【図面の簡単な説明】
【０００８】
【図１】本考案の赤だし味噌塩飴の一実施態様を示す正面図です。
【図２】本考案の赤だし味噌塩飴の他の実施態様を示す断面図です。
【考案を実施するための形態】
【０００９】  以下に本考案の実施形態を説明します。
図１において、１は赤だし味噌塩飴であり、この赤だし味噌塩飴１は、砂糖、水飴及び赤だし味噌を配合したものですが、塩気が足りない場合は塩を適量配合します。お好みにより、赤だし味噌塩飴１の周囲に粉砂糖をまぶします。
【００１０】  なお、砂糖は上白糖、グラニュー糖、三温糖、和三盆、黒糖等を使用することができます。水飴は酸糖化水飴、酵素水飴のいずれも使用できます。赤だし味噌は、例えば八丁味噌等の豆味噌に米味噌を合わせたものです。
【００１１】  次に、図１に示す赤だし味噌塩飴の製造方法について説明します。
なお、以下に示す各材料の分量は、便宜上少量の赤だし味噌塩飴を製造する場合の分量であって、これに限定されるものではありません。
まず、鍋にカップ１杯（２００ｍｌ）の上白糖と大さじ２杯（３０ｍｌ）の水飴を入れて加熱し、ゆっくり溶かしながら赤だし味噌を大さじ２杯（３０ｍｌ）混ぜ合わせると共に、小さじ１杯（５ｍｌ）の塩を入れてゆっくりゆっくり混ぜながら溶かします。次に、溶けた飴を約５０度まで冷ましてこれを細長く引き伸ばした後、これを所定の長さ毎に切断すると共に所定の形に整えて出来上がりです。お好みで赤だし味噌塩飴１の表面に粉砂糖をまぶします。
【００１２】  次に、本考案の他の実施態様を図２を用いて説明します。
図２において、２は赤だし味噌を含む塩飴、３は赤だし味噌を含まない飴であり赤だし味噌を含む塩飴２の表面を覆っています。赤だし味噌を含む塩飴２については、図１に示す赤だし味噌塩飴１と同じ材料を用いると共に同じ配合量ですので、説明を省略します。お好みにより、赤だし味噌を含まない飴３の周囲に粉砂糖をまぶします。
【００１３】  次に、図２に示す赤だし味噌塩飴の製造方法について説明します。
なお、以下に示す各材料の分量は、便宜上少量の赤だし味噌塩飴を製造する場合の分量であって、これに限定されるものではありません。
まず、図１に示す赤だし味噌塩飴１と同じ要領で製造した赤だし味噌を含む塩飴２を準備します。次に、赤だし味噌を含む飴２を包むための飴３を作ります。先ず鍋にカップ１杯（２００ｍｌ）の上白糖と大さじ２杯（３０ｍｌ）の水飴を入れて加熱し、ゆっくり溶かします。必要に応じて食紅を適量入れてピンク色にします。５０℃くらいまで冷めたら、これを細長く引き伸ばした後、これを所定の長さ毎に切断します。そして飴３が柔らかいうちに赤だし味噌を含む塩飴２を飴３で包んで出来上がりです。お好みで飴３の表面に粉砂糖をまぶします。
【符号の説明】
【００１４】  １  赤だし味噌塩飴
２  赤だし味噌を含む飴
３  赤だし味噌を含まない飴
【図１】
0003233713.tif 000003
【図２】
0003233713.tif 000004
【手続補正書】
【提出日】令和3年5月17日(2021.5.17)
【手続補正１】
【補正対象書類名】実用新案登録請求の範囲
【補正対象項目名】全文
【補正方法】変更
【補正の内容】
【実用新案登録請求の範囲】
【請求項１】
砂糖、水飴及び赤だし味噌を配合した塩飴を、砂糖及び水飴を配合し且つ赤だし味噌を配合していない飴で包んだことを特徴とする赤だし味噌塩飴。
【請求項２】
上記砂糖、水飴及び赤だし味噌の配合比が容積比で１００：１５：１５であることを特徴とする請求項１に記載の赤だし味噌塩飴。
(57)【要約】      （修正有）【課題】薬使用者の飲み忘れ・飲み間違えを防ぎ、介護者の負担を軽減し、旅行・出張また予想される災害に備え、必要日数分の薬を用意出来る携帯用薬入れ容器を提供する。【解決手段】箱型のプラスチック容器で、錠剤・カプセル錠を収納部１から蓋２をヒンジ部３を介して薬の出し入れが出来る。蓋は透明で薬収納部が外部から確認でき、蓋には透明の曜日・使用時（朝・昼・夕・寝る前）を印刷した用紙を貼る事により使用者・介護者が迷うことなく安心して使用できる携帯用薬入れ容器。【選択図】図１
0003233716.tif 000002
【実用新案登録請求の範囲】
【請求項１】
薬を収納する薬収納部を有する箱型状の複数の薬入れ容器にあって、該薬入れ容器はその１方の側面に係支部が設けられるとともに、他方の側には前記係止部に係合される係合部が設けられており、この係合部と前記係止部との係合によって前記薬入れ容器がそれぞれ係合されることを特徴とする薬入れ容器。
【請求項２】
前記箱型状の薬入れ容器は、その内部が仕切板で仕切られ、複数の収納部が形成され、この収納部は、それぞれ蓋部材によって開閉が可能とされている事を特徴とする請求項１記載の薬入れ容器。
【考案の詳細な説明】
【技術分野】
【０００１】本考案は薬収納部を上下・左右を仕切板でしきられた薬収納部１日分（４ヶ所）を設け、保存する薬入れ容器。【０００２】容器の蓋は透明な樹脂で出来その蓋に曜日と服用時（朝・昼・夕・寝る前）の名称を印刷した透明の用紙を貼る事で、薬収納部の中の状態が確認出来、安心して使用する事の出来る携帯用薬入れ容器。
【考案概要】
【考案が解決しようとする課題】
【０００３】薬を服用する人が飲み忘れ・飲み間違えを防ぎ、また予想される災害時に対応する事のできる携帯用薬入れ容器。
【課題を解決するための手段】
【０００４】本体に１日分（朝・昼・夕・寝る前）４ヶ所の薬収納部を設け薬（錠剤・カプセル）を所定期間保存出来、安心して使用できる携帯用薬入れ容器。服用者が身近におくか、また旅行・出張等で外出するときに必要な日数分を携行することができる。
【考案の効果】
【０００５】本人及び介護者が、その時の必要分の薬を本人及び介護者が用意された容器内の薬を、飲み忘れ・飲み間違えのないように、服用することが出来る。
【図面の簡単な説明】
【０００６】
【図１】  本考案の実施例を示す全体図（３日分）
【図２】  本考案を実施例を示す斜視図
【図３】  本考案の主要の分解図
【図４】  本考案の蓋を上に上げた斜視図
【図５】  本考案の係合部の拡大図
【考案を実施するための形態】
【０００７】本考案の実施例にもとづいて説明する。
薬入れ容器体Ａ−１は、箱状に構成されている。この薬入れ容器は複数の容器で構成されている。そしてこの容器体Ａ−１の１方側の側面には、プラスチックで構成された断面Ｃ字状の係止部４が２ヶ所取り付けられている。また、薬入れ容器体Ａ−２の側面に断面Ｔ字状の係合部５が形成されている。そして、この断面Ｔ字状の係合部５と断面Ｃ字状の係止部４とが係合する事によって複数の薬入れ容器が係合される事になる。
【０００８】当該容器体と同型の容器体（Ａ−１〜Ａ−７）は上記係合部により複数取り付け・取り外しが可能になる。
【０００９】蓋２はヒンジ部を介して上方に上げる事により、薬の出し入れが容易にできる。
【００１０】該容器体は仕切板６により左右にまた仕切板７により上下に仕切られ、薬入れ容器体を４ヶ所の薬入れ収納部わかれるている。
蓋２をを開ける際に使用する爪掛け部８が設けられている。
【符号の説明】１  薬収納部
２  薬収納部の蓋
３  ヒンジ部
４  係止部
５  係合部
６  薬収納部左右仕切板
７  薬収納部上下仕切板
８  爪掛け部
【図１】
0003233716.tif 000003
【図２】
0003233716.tif 000004
【図３】
0003233716.tif 000005
【図４】
0003233716.tif 000006
【図５】
0003233716.tif 000007